(57)【要約】【課題】  ＡＲマーカーなどのマーカー情報を表示する機能を操作対象機器が有していなくても、直感的な運用の実現によってユーザビリティを向上することを可能とする電子端末及びプログラムを提供する。【解決手段】  電子端末１０は、機器に取付けられたマーカー部材が有するマーカー情報を読み取る読取り部１１と、ネットワーク４０を介して機器の設定情報を機器から受信する通信部１２と、マーカー情報の読み取りに基づいて取得される情報と機器の設定情報との対応関係を記憶する記憶部１３とを備える。【選択図】  図２
2016092468.tif 000002
【特許請求の範囲】
【請求項１】
需要家施設に設けられる機器とネットワークを介して接続される電子端末であって、
前記機器に取付けられたマーカー部材が有するマーカー情報を読み取る読取部と、
前記ネットワークを介して前記機器の設定情報を前記機器から受信する受信部と、
前記マーカー情報の読み取りに基づいて取得される情報と前記機器の設定情報との対応関係を記憶する記憶部とを備えることを特徴とする電子端末。
【請求項２】
前記機器を操作するための操作インタフェースを表示する表示部を備え、
前記記憶部は、前記機器を操作するための操作インタフェースを前記機器の設定情報と対応付けており、
前記表示部は、前記対応関係の記憶後において前記マーカー情報の読み取りに基づいて取得される情報を改めて取得した場合に、前記対応関係に基づいて前記操作インタフェースを表示することを特徴とする請求項１に記載の電子端末。
【請求項３】
前記マーカー情報の読み取りに基づいて取得される情報は、前記マーカー情報が設けられた前記機器の位置情報であることを特徴とする請求項１に記載の電子端末。
【請求項４】
前記マーカー情報の読み取りに基づいて取得される情報は、前記マーカー情報そのものが有する識別情報であることを特徴とする請求項１に記載の電子端末。
【請求項５】
前記操作インタフェースに対する操作に応じて、前記機器に対するコマンドを送信する送信部を備えることを特徴とする請求項２に記載の電子端末。
【請求項６】
前記送信部は、前記コマンドと当該コマンドの送信先として前記機器を指定する情報とを対にして、前記ネットワークに接続される管理装置に対して送信することを特徴とする請求項５に記載の電子端末。
【請求項７】
前記マーカー部材は、機器の種別によらずに複数の機器に汎用的に用いられるマーカーであることを特徴とする請求項１に記載の電子端末。
【請求項８】
需要家施設に設けられる機器とネットワークを介して接続される電子端末で用いるプログラムであって、コンピュータに、
前記機器に取付けられたマーカー部材が有するマーカー情報を読み取るステップＡと、
前記ネットワークを介して前記機器の設定情報を前記機器から受信するステップＢと、
前記識別マーカーの読み取りに基づいて取得される情報と前記機器の設定情報との対応関係を記憶するステップＣとを実行させる備えることを特徴とするプログラム。
【請求項９】
需要家施設に設けられる機器とネットワークを介して接続される電子端末と、前記ネットワークに接続される管理装置とを備える管理システムであって、
前記電子端末は、
前記機器に取付けられたマーカー部材が有するマーカー情報を読み取る読取部と、
前記ネットワークを介して前記機器の設定情報を前記機器から受信する受信部と、
前記マーカー情報の読み取りに基づいて取得される情報と前記機器の設定情報との対応関係を記憶する記憶部と、
前記機器を操作するための操作インタフェースを表示する表示部と、
前記操作インタフェースに対する操作に応じて、前記機器に対するコマンドを送信する送信部とを備え、
前記送信部は、前記コマンドと当該コマンドの送信先として前記機器を指定する情報とを対にして、前記管理装置に対して送信し、
前記管理装置は、前記コマンドを受信すると当該コマンドを指定された機器に対して送信することを特徴とする管理システム。
【発明の詳細な説明】
【技術分野】
【０００１】
本発明は、需要家施設に設けられる機器とネットワークを介して接続される電子端末、電子端末で用いるプログラム、電子端末を有する管理システムに関する。
【背景技術】
【０００２】
従来、二次元バーコードなどのＡＲマーカーを読み取る機能を有するスマートフォンなどの電子端末が知られている。具体的には、電子端末は、ＡＲマーカーの読取りによって、ＡＲマーカーそのものが有する情報を取得する。
【０００３】
このようなＡＲマーカーを空調機器などの機器に利用する技術も提案されている（例えば、特許文献１）。詳細には、機器は、機器に設けられる表示部にＡＲマーカーを表示する。ＡＲマーカーは、機器の機種名や能力などの情報に基づいて生成される。すなわち、ＡＲマーカーそのものは、機器の機種名や能力などの情報を有する。
【先行技術文献】
【特許文献】
【０００４】
【特許文献１】特開２０１３−１７４３８４号公報
【発明の概要】
【発明が解決しようとする課題】
【０００５】
ところで、近年では、各種機器を操作するためのインタフェースとして、電子端末を用いる技術が提案されている。具体的には、各種機器を操作するためのアプリケーションを電子端末にインストールすることによって、電子端末がリモートコントローラとして機能する。
【０００６】
このようなケースにおいては、電子端末をリモートコントローラとして用いる場合には、操作対象機器に対応するアプリケーションをユーザが選択する必要がある。
【０００７】
一方で、上述した直感的な運用を実現する観点から、上述したＡＲマーカーを用いることも考えられる。詳細には、各種機器を操作するための設定情報をＡＲマーカーそのものに持たせることも考えられる。
【０００８】
しかしながら、ＡＲマーカーを表示する機能を機器が有していないことも多く、ＡＲマーカーそのものに設定情報を持たせる方法は万能ではない。
【０００９】
そこで、本発明は、上述した課題を解決するためになされたものであり、ＡＲマーカーなどの識別マーカーを表示する機能を有していなくても、直感的な運用の実現によってユーザビリティを向上することを可能とする電子端末及びプログラム及び管理システムを提供することを目的とする。
【課題を解決するための手段】
【００１０】
第１の特徴は、需要家施設に設けられる機器とネットワークを介して接続される電子端末であって、前記機器に取付けられたマーカー部材が有するマーカー情報を読み取る読取部と、前記ネットワークを介して前記機器の設定情報を前記機器から受信する受信部と、前記マーカー情報の読み取りに基づいて取得される情報と前記機器の設定情報との対応関係を記憶する記憶部とを備えることを要旨とする。
【００１１】
第２の特徴は、第１の特徴において、前記電子端末は、前記機器を操作するための操作インタフェースを表示する表示部を備え、前記記憶部は、前記機器を操作するための操作インタフェースを前記機器の設定情報と対応付けており、前記表示部は、前記対応関係の記憶後において前記マーカー情報の読み取りに基づいて取得される情報を改めて取得した場合に、前記対応関係に基づいて前記操作インタフェースを表示することを要旨とする。
【００１２】
第３の特徴は、第１の特徴において、前記マーカー情報の読み取りに基づいて取得される情報は、前記マーカー部材が取付けられた位置を特定するための位置情報であることを要旨とする。
【００１３】
第４の特徴は、第１の特徴において、前記マーカー情報の読み取りに基づいて取得される情報は、前記マーカー情報そのものが有する識別情報であることを要旨とする。
【００１４】
第５の特徴は、第４の特徴において、前記電子端末は、前記操作インタフェースに対する操作に応じて、前記機器に対するコマンドを送信する送信部を備えることを要旨とする。
【００１５】
第６の特徴は、第５の特徴において、前記送信部は、前記コマンドと当該コマンドの送信先として前記機器を指定する情報とを対にして、前記ネットワークに接続される管理装置に対して送信することを要旨とする。
【００１６】
第７の特徴は、第１の特徴において、前記マーカー部材は、機器の種別によらずに複数の機器に汎用的に用いられるマーカーであることを要旨とする。
【００１７】
第８の特徴は、需要家に設けられる機器とネットワークを介して接続される電子端末で用いるプログラムであって、コンピュータに、前記機器に取付けられたマーカー部材が有するマーカー情報を読み取るステップＡと、前記ネットワークを介して前記機器の設定情報を前記機器から受信するステップＢと、前記マーカー情報の読み取りに基づいて取得される情報と前記機器の設定情報との対応関係を記憶するステップＣとを実行させることを要旨とする。
【００１８】
第９の特徴は、需要家施設に設けられる機器とネットワークを介して接続される電子端末と、前記ネットワークに接続される管理装置とを備える管理システムであって、前記電子端末は、前記機器に取付けられたマーカー部材が有するマーカー情報を読み取る読取部と、前記ネットワークを介して前記機器の設定情報を前記機器から受信する受信部と、前記マーカー情報の読み取りに基づいて取得される情報と前記機器の設定情報との対応関係を記憶する記憶部と、前記機器を操作するための操作インタフェースを表示する表示部と、前記操作インタフェースに対する操作に応じて、前記機器に対するコマンドを送信する送信部とを備え、前記送信部は、前記コマンドと当該コマンドの送信先として前記機器を指定する情報とを対にして、前記管理装置に対して送信し、前記管理装置は、前記コマンドを受信すると当該コマンドを指定された機器に対して送信することを要旨とする。
【図面の簡単な説明】
【００１９】
【図１】図１は、第１の実施形態に係る需要家施設１００を示す図である。
【図２】図２は、第１の実施形態に係る電子端末１０を示す図である。
【図３】図３は、第１の実施形態に係る記憶部１３に記憶された情報を示す図である。
【図４】図４は、第１の実施形態に係る制御方法を示す図である。
【図５】図５は、第１の実施形態に係る制御方法を示す図である。
【図６】図６は、変更例１に係る記憶部１３に記憶された情報を示す図である。
【図７】図７は、変更例１に係る制御方法を示す図である。
【図８】図８は、変更例１に係る制御方法を示す図である。
【発明を実施するための形態】
【００２０】
以下において、本発明の第１の実施形態に係る電子端末について、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［実施形態の概要］
実施形態に係る電子端末は、需要家に設けられる機器とネットワークを介して接続される。電子端末は、前記機器に取付けられたマーカー部材が有するマーカー情報を読み取る読取部と、前記ネットワークを介して前記機器の設定情報を前記機器から受信する受信部と、前記マーカー情報の読み取りに基づいて取得される情報と前記機器の設定情報との対応関係を記憶する記憶部とを備える。
【００２３】
実施形態では、電子端末は、マーカー情報の読み取りに基づいて取得される情報とネットワークを介して受信する機器の設定情報との対応関係を記憶する。ここで、マーカー情報の読み取りに基づいて取得される情報は、マーカー部材が取付けられた位置を特定するための位置情報或いはマーカー情報そのものが有する識別情報である。
【００２４】
第１に、マーカー情報の読み取りに基づいて取得される情報として、マーカー部材が取付けられた位置を特定するための位置情報を用いる場合には、対応関係の記憶後においてユーザが電子端末を操作対象機器に向けたタイミングで、電子端末が位置情報を取得するとともに位置情報に対応付けられた機器の設定情報を記憶部から読み出すことができる。このようなケースにおいて、機器の設定情報の読み出しにおいてマーカー部材を用いないため、対応関係の記憶後においてマーカー部材が機器に設けられている必要がない。すなわち、マーカー部材は、対応関係の構築にのみ用いられるため、対応関係の記憶後にマーカー部材を機器から取り外して、他の機器の対応関係の構築にマーカー部材を流用することができる。
【００２５】
第２に、マーカー情報の読み取りに基づいて取得される情報として、マーカー情報そのものが有する識別情報を用いる場合には、対応関係の記憶後においてユーザが電子端末を操作対象機器に向けたタイミングで、電子端末が識別情報を読み取るとともに識別情報に対応付けられた機器の設定情報を記憶部から読み出すことができる。このようなケースにおいては、対応関係の記憶後においても、マーカー部材を機器に取り付けたまま維持する必要があることに留意すべきである。
【００２６】
このように、実施形態に係る電子端末によれば、ＡＲマーカーなどのマーカー情報を表示する機能を操作対象機器が有していなくても、直感的な運用の実現によってユーザビリティを向上することができる。
【００２７】
［第１の実施形態］
（需要家施設）
以下において、第１の実施形態に係る需要家施設について説明する。図１は、第１の実施形態に係る需要家施設１００を示す図である。
【００２８】
図１に示すように、需要家施設１００は、複数の機器２０及び管理装置３０を有する。複数の機器２０には、電子端末１０がネットワーク４０を介して接続される。
【００２９】
電子端末１０は、スマートフォン、タブレット又はパーソナルコンピュータに代表される端末である。電子端末１０は、ネットワーク４０を介して複数の機器２０に接続される。ネットワーク４０は、例えば、需要家施設１００内に設けられるネットワークであることが好ましい。ネットワーク４０は、ＥＣＨＯＮＥＴ  Ｌｉｔｅに準拠するネットワークであってもよい。或いは、ネットワーク４０は、ＷＬＡＮ、Ｂｌｕｅｔｏｏｔｈ（登録商標）などのネットワークであってもよい。電子端末１０の詳細については後述する（図２を参照）。
【００３０】
機器２０は、特に限定されるものではないが、冷蔵庫、照明、エアコン、テレビなどの装置である。機器２０には、マーカー情報を有するマーカー部材２１が取付けられる。マーカー部材２１は、機器２０に予め設けられているものではなく、ユーザなどによって機器２０に取付けられる。マーカー部材２１は、機器２０から取外し可能であってもよい。マーカー部材２１は、例えば、粘着面を有する部材（シールなど）であってもよく、近距離通信を行うチップ又はタグであってもよい。近距離無線通信は、例えば、ＲＦＩＤ（Ｒａｄｉｏ  Ｆｒｅｑｕｅｎｃｙ  Ｉｄｅｎｔｉｆｉｅｒ）を用いる通信であってもよく、ＮＦＣ（Ｎｅａｒ  Ｆｉｅｌｄ  Ｃｏｍｍｕｎｉｃａｔｉｏｎ）であってもよい。
【００３１】
マーカー情報は、機器２０の情報を有するものではなく、マーカー部材２１を識別可能な情報であればよい。例えば、マーカー部材２１が粘着面を有する部材である場合には、マーカー情報は、ユーザが視認可能な目印であればよい。このような目印は、例えば、二次元バーコード又はＱＲコード（登録商標）に代表されるＡＲマーカーであってもよい。マーカー部材２１がチップ又はタグである場合には、マーカー情報は、近距離無線通信によって電子端末１０が読取り可能な情報であればよい。マーカー情報は、マーカー部材２１を一意に識別する識別情報を有していてもよい。
【００３２】
第１の実施形態では、機器２０として、機器２０Ａ、機器２０Ｂ及び機器２０Ｃを例示する。マーカー部材２１として、機器２０Ａに取付けられたマーカー部材２１Ａ、機器２０Ｂに取付けられたマーカー部材２１Ｂ及び機器２０Ｃに取付けられたマーカー部材２１Ｃを例示する。
【００３３】
管理装置３０は、ネットワーク４０に接続されており、複数の機器２０の消費電力を管理する装置（例えば、ＥＭＳ；Ｅｎｅｒｇｙ  Ｍａｎａｇｅｍｅｎｔ  Ｓｙｓｔｅｍ）である。
【００３４】
（電子端末）
以下において、第１の実施形態に係る電子端末について説明する。図２は、第１の実施形態に係る電子端末１０を示す図である。
【００３５】
電子端末１０は、読取り部１１と、通信部１２と、記憶部１３と、表示部１４と、制御部１５とを有する。
【００３６】
読取り部１１は、撮像素子などによって構成されており、マーカー部材２１が有するマーカー情報を読み取る。或いは、読取り部１１は、近距離無線通信を行う通信モジュールによって構成されており、マーカー部材２１が有するマーカー情報を読み取る。
【００３７】
通信部１２は、通信モジュールなどによって構成されており、ネットワーク４０を介して機器２０と通信を行う。例えば、通信部１２は、ネットワーク４０を介して各機器２０の設定情報を各機器２０から受信する。
【００３８】
記憶部１３は、各種情報を記憶する。具体的には、記憶部１３は、マーカー情報の読み取りに基づいて取得される情報と機器２０の設定情報との対応関係を記憶する。第１の実施形態において、マーカー情報の読み取りに基づいて取得される情報は、マーカー部材が取付けられた位置を特定するための位置情報である。
【００３９】
さらに、記憶部１３は、機器２０を操作するための操作インタフェースを機器２０の設定情報と対応付ける。操作インタフェースは、例えば、機器２０を遠隔で操作するリモートコントローラのアプリケーションで用いるＧＵＩ（Ｇｒａｐｈｉｃａｌ  Ｕｓｅｒ  Ｉｎｔｅｒｆａｃｅ）である。
【００４０】
例えば、記憶部１３は、図３に示すように、機器名、設定情報、位置情報及び操作インタフェースを対応付ける情報を記憶する。
【００４１】
機器名は、例えば、「居間・エアコン」、「寝室・照明」などのように、機器が設けられる場所及び機器の用途を示す情報である。機器名は、ユーザによって設定されてもよい。
【００４２】
設定情報は、各機器２０から通信部１２が受信する情報である。設定情報は、例えば、機器のＩＰアドレス、機器のＭＡＣアドレス、機器のメーカ名、機器の分類、機器の製造番号、機器の機能情報、機器の状態などである。
【００４３】
位置情報は、読取り部１１によるマーカー情報の読み取りに基づいて取得される情報であり、マーカー部材が取付けられた位置を特定するための情報である。例えば、位置情報は、マーカー情報の読み取りが行われたときの緯度、経度及び高さである。緯度、経度及び高さは、例えば、電子端末１０が有するＧＰＳなどによって取得可能である。或いは、緯度及び経度は、電子端末１０が有する電子コンパスによっても取得可能である。或いは、高さは、電子端末１０が有する気圧センサ及び加速度センサによっても取得可能である。さらに、位置情報は、緯度、経度及び高さに加えて、読取り部１１を構成する撮像素子の傾きを含むことが好ましい。撮像素子の傾きは、電子端末１０が有する加速度センサなどによって取得可能である。
【００４４】
操作インタフェースは、上述したように、機器２０を遠隔で操作するリモートコントローラのアプリケーションで用いるＧＵＩである。操作インタフェースは、機器２０の設定情報（例えば、機器の分類及び機器の機能情報）に基づいて、電子端末１０によって生成されてもよい。或いは、操作インタフェースは、機器２０の設定情報（例えば、機器のメーカ名及び機器の製造番号）に基づいて、インターネット等のネットワークを経由してサーバからダウンロードされてもよい。
【００４５】
図２に戻って、表示部１４は、上述した操作インタフェースを表示する。具体的には、表示部１４は、位置情報と設定情報との対応関係の記憶後において位置情報を改めて取得した場合に、対応関係に基づいて操作インタフェースを表示する。すなわち、表示部１４は、位置情報に対応付けられた操作インタフェースを表示する。
【００４６】
制御部１５は、ＣＰＵ及びメモリによって構成されており、電子端末１０を制御する。具体的には、制御部１５は、読取り部１１によってマーカー情報が読み取られた際に、マーカー部材２１が取付けられた位置を特定するための位置情報を取得する。例えば、制御部１５は、読取り部１１によってマーカー情報が読み取られたタイミングにおいて、ＧＰＳを利用して緯度、経度及び高さを位置情報として取得する。さらに、制御部１５は、読取り部１１によってマーカー情報が読み取られたタイミングにおいて、加速度センサを利用して撮像素子の傾きを位置情報として取得してもよい。
【００４７】
制御部１５は、位置情報と設定情報との対応関係の記憶後において位置情報を改めて取得した場合に、位置情報に対応付けられた操作インタフェースの表示を表示部１４に指示する。
【００４８】
制御部１５は、操作インタフェースに対する操作に応じて、機器２０を操作するためのコマンドを生成してもよい。このようなケースにおいて、制御部１５は、操作インタフェースに対する操作に応じて、コマンドの送信を通信部１２に指示する。すなわち、上述した通信部１２は、操作インタフェースに対する操作に応じて、機器２０に対するコマンドを送信する。
【００４９】
（制御方法）
以下において、第１の実施形態に係る制御方法について説明する。図４及び図５は、第１の実施形態に係る制御方法を示す図である。図４及び図５においては、ネットワーク４０がＥＣＨＯＮＥＴ  Ｌｉｔｅであるケースを例示し、機器２０Ａ及び機器２０Ｂを機器２０として例示する。
【００５０】
第１に、位置情報及び設定情報の対応関係の構築について、図４を参照しながら説明する。
【００５１】
図４に示すように、ステップＳ１０において、電子端末１０は、各機器２０（機器２０Ａ及び機器２０Ｂ）にＧＥＴコマンドを送信する。ＧＥＴコマンドは、機器２０の設定情報の送信を要求するコマンドである。
【００５２】
ステップＳ２０において、電子端末１０は、各機器２０（機器２０Ａ及び機器２０Ｂ）から機器２０の設定情報を受信する。
【００５３】
ステップＳ３０において、電子端末１０は、機器２０の設定情報を記憶部１３に格納する。ユーザは、図３に示す機器名の入力によって、機器名及び設定情報を記憶部１３において対応付けてもよい。ここで、電子端末１０は、機器２０の設定情報に基づいて操作インタフェースを取得して、操作インタフェースを設定情報と対応付けることが好ましい。
【００５４】
ステップＳ４０Ａにおいて、機器２０Ａにマーカー部材２１Ａが取付けられる。例えば、マーカー部材２１Ａが粘着面を有する部材（例えば、シールなど）である場合には、マーカー部材２１Ａは機器２０Ａに貼付される。ステップＳ４０Ａが行われるタイミングは、特に限定されるものではなく、ステップＳ５０の前であればよい。
【００５５】
ステップＳ４０Ｂにおいて、機器２０Ｂにマーカー部材２１Ｂが取付けられる。例えば、マーカー部材２１Ｂが粘着面を有する部材（例えば、シールなど）であり、マーカー部材２１Ｂは機器２０Ｂに貼付される。ステップＳ４０Ａが行われるタイミングは、特に限定されるものではなく、ステップＳ５０の前であればよい。
【００５６】
ステップＳ５０において、電子端末１０は、機器２０Ａに取付けられたマーカー部材２１Ａに向いた状態で、マーカー部材２１Ａが有するマーカー情報を読み取る。
【００５７】
ステップＳ６０において、電子端末１０は、ステップＳ５０が行われたタイミングで、マーカー部材２１Ａが取付けられた位置（すなわち、機器２０Ａが設置された位置）を特定するための位置情報を取得する。
【００５８】
ステップＳ７０において、電子端末１０は、マーカー部材２１Ａが取付けられた位置を特定するための位置情報と機器２０Ａの設定情報との対応関係を記憶部１３に格納する。機器２０Ａの設定情報は、例えば、ステップＳ２０で受信する設定情報の一覧の中からユーザによって選択される。
【００５９】
ステップＳ８０において、電子端末１０は、機器２０Ｂに取付けられたマーカー部材２１Ｂに向いた状態で、マーカー部材２１Ｂが有するマーカー情報を読み取る。
【００６０】
ステップＳ９０において、電子端末１０は、ステップＳ８０が行われたタイミングで、マーカー部材２１Ｂが取付けられた位置（すなわち、機器２０Ｂが設置された位置）を特定するための位置情報を取得する。
【００６１】
ステップＳ１００において、電子端末１０は、マーカー部材２１Ｂが取付けられた位置を特定するための位置情報と機器２０Ｂの設定情報との対応関係を記憶部１３に格納する。機器２０Ｂの設定情報は、例えば、ステップＳ２０で受信する設定情報の一覧の中からユーザによって選択される。
【００６２】
ステップＳ１１０Ａにおいて、機器２０Ａにマーカー部材２１Ａが取り外される。例えば、マーカー部材２１Ａが部材（例えば、シールなど）である場合には、マーカー部材２１Ａは機器２０Ａから剥離される。マーカー部材２１Ａは他の機器の対応関係の構築に流用可能である。
【００６３】
ステップＳ１１０Ｂにおいて、機器２０Ｂにマーカー部材２１Ｂが取り外される。例えば、マーカー部材２１Ｂが部材（例えば、シールなど）である場合には、マーカー部材２１Ｂは機器２０Ｂから剥離される。マーカー部材２１Ｂは他の機器の対応関係の構築に流用可能である。
【００６４】
但し、ステップＳ１１０Ａ及びステップＳ１１０Ｂは必須の処理ではないことに留意すべきである。すなわち、マーカー部材２１Ａ及びマーカー部材２１Ｂは、機器２０Ａ及び機器２０Ｂに取付けられたまま維持されてもよい。
【００６５】
第２に、機器２０の操作について、図５を参照しながら説明する。図５では、機器２０Ａを操作する処理について説明する。
【００６６】
図５に示すように、ステップＳ２１０において、電子端末１０は、ユーザ操作に応じて、アプリケーションを起動する。アプリケーションは、機器２０の操作するためのアプリケーションである。
【００６７】
ステップＳ２２０において、ユーザは、電子端末１０を機器２０Ａに向ける。電子端末１０は、機器２０Ａを向いた状態で位置情報を取得する。位置情報は、上述したように、ＧＰＳ及び加速度センサを利用して取得される。
【００６８】
ステップＳ２３０において、電子端末１０は、記憶部１３に記憶された対応関係に基づいて、ステップＳ２２０で取得された位置情報に対応付けられた機器（例えば、機器名）を特定する。
【００６９】
ステップＳ２４０において、電子端末１０は、ステップＳ２３０で特定された機器に対応する操作インタフェースを表示する。
【００７０】
ステップＳ２５０において、電子端末１０は、操作インタフェースに対する操作に応じて、機器２０Ａを操作するためのコマンド（操作コマンド）をＢｌｕｅｔｏｏｔｈ（登録商標）、ＺｉｇＢｅｅ（登録商標）などの通信プロトコルにより機器２０Ａに直接的に送信する。
【００７１】
以上説明したように、第１の実施形態では、電子端末１０は、マーカー部材２１が取付けられた位置を特定するための位置情報とネットワーク４０を介して受信する機器２０の設定情報との対応関係を記憶する。これによって、対応関係の記憶後においてユーザが電子端末１０を操作対象機器に向けたタイミングで、電子端末１０が位置情報を取得するとともに位置情報に対応付けられた機器の設定情報を記憶部１３から読み出すことができる。
【００７２】
このように、第１の実施形態に係る電子端末１０によれば、ＡＲマーカーなどのマーカー情報を表示する機能を操作対象機器が有していなくても、直感的な運用の実現によってユーザビリティを向上することができる。直感的な運用とは、例えば、電子端末１０を操作対象機器に向けるだけで、操作対象機器に対応する操作インタフェースが表示されるといった直感的な運用である。
【００７３】
第１の実施形態では、機器２０の設定情報の読み出しにおいてマーカー部材２１を用いないため、対応関係の記憶後においてマーカー部材２１が機器２０に取付けられている必要がない。すなわち、マーカー部材２１は、対応関係の構築にのみ用いられるため、対応関係の記憶後にマーカー部材２１を機器２０から取り外して、他の機器の対応関係の構築にマーカー部材２１を流用することができる。
【００７４】
［変更例１］
以下において、第１の実施形態の変更例１について説明する。以下においては、第１の実施形態に対する相違点について主として説明する。
【００７５】
第１の実施形態では、読取り部１１によるマーカー情報の読み取りに基づいて取得される情報は、マーカー部材２１が取付けられた位置を特定するための位置情報である。これに対して、変更例１では、読取り部１１によるマーカー情報の読み取りに基づいて取得される情報は、マーカー情報そのものが有する識別情報である。識別情報は、機器２０の情報を有するものではなく、マーカー部材２１を一意に特定する情報である。
【００７６】
例えば、変更例１に係る電子端末１０の記憶部１３は、図６に示すように、機器名、設定情報、識別情報及び操作インタフェースを対応付ける情報を記憶する。機器名、設定情報及び操作インタフェースは、図３に示す例と同様であるため、その説明については省略する。
【００７７】
識別情報は、上述したように、読取り部１１によって読み取られるマーカー情報そのものが有する情報である。従って、電子端末１０は、読取り部１１によってマーカー情報を読み取ることによって、識別情報を取得することができることに留意すべきである。
【００７８】
（制御方法）
以下において、変更例１に係る制御方法について説明する。図７及び図８は、変更例１に係る制御方法を示す図である。図７及び図８においては、ネットワーク４０がＥＣＨＯＮＥＴ  Ｌｉｔｅであるケースを例示し、機器２０Ａ及び機器２０Ｂを機器２０として例示する。
【００７９】
図７及び図８において、図４及び図５と同様の処理について同様のステップ番号を付している。以下において、図４及び図５と同様の処理の説明については省略する。
【００８０】
第１に、位置情報及び設定情報の対応関係の構築について、図７を参照しながら説明する。
【００８１】
図７に示すように、ステップＳ６０Ａにおいて、電子端末１０は、ステップＳ５０で読み取られたマーカー情報を識別情報として取得する。
【００８２】
ステップＳ７０Ａにおいて、電子端末１０は、マーカー部材２１Ａが有するマーカー情報そのものが有する識別情報と機器２０Ａの設定情報との対応関係を記憶部１３に格納する。機器２０Ａの設定情報は、例えば、ステップＳ２０で受信する設定情報の一覧の中からユーザによって選択される。
【００８３】
ステップＳ９０Ａにおいて、電子端末１０は、ステップＳ８０で読み取られたマーカー情報を識別情報として取得する。
【００８４】
ステップＳ１００Ａにおいて、電子端末１０は、マーカー部材２１Ｂが有するマーカー情報そのものが有する識別情報と機器２０Ｂの設定情報との対応関係を記憶部１３に格納する。機器２０Ｂの設定情報は、例えば、ステップＳ２０で受信する設定情報の一覧の中からユーザによって選択される。
【００８５】
ここで、変更例１においては、第１の実施形態のように、マーカー部材２１を取り外す処理（図４に示すステップＳ１１０Ａ及びステップＳ１１０Ｂ）が行われないことに留意すべきである。
【００８６】
第２に、機器２０の操作について、図８を参照しながら説明する。図８では、機器２０Ａを操作する処理について説明する。
【００８７】
図８に示すように、ステップＳ２１０Ａにおいて、ユーザは、電子端末１０を機器２０Ａに取付けられたマーカー部材２１Ａに向ける。電子端末１０は、マーカー部材２１Ａが有するマーカー情報を読み取る。ここで、電子端末１０は、マーカー情報の読み取りに応じて、アプリケーションを起動する。アプリケーションは、機器２０の操作するためのアプリケーションである。
【００８８】
ステップＳ２２０Ａにおいて、電子端末１０は、マーカー部材２１Ａが有するマーカー情報を識別情報として取得する。
【００８９】
ステップＳ２３０Ａにおいて、電子端末１０は、記憶部１３に記憶された対応関係に基づいて、ステップＳ２２０Ａで取得された位置情報に対応付けられた機器（例えば、機器名）を特定する。
【００９０】
以上説明したように、変更例１では、電子端末１０は、マーカー部材２１が有するマーカー情報そのものが有する識別情報とネットワーク４０を介して受信する機器２０の設定情報との対応関係を記憶する。これによって、対応関係の記憶後においてユーザが電子端末１０を操作対象機器に向けたタイミングで、電子端末１０が識別情報（マーカー情報）を読み取るとともに識別情報に対応付けられた機器の設定情報を記憶部１３から読み出すことができる。
【００９１】
このように、変更例１に係る電子端末１０によれば、ＡＲマーカーなどのマーカー情報を表示する機能を操作対象機器が有していなくても、直感的な運用の実現によってユーザビリティを向上することができる。
【００９２】
［第２の実施形態］
以下において、第２の実施形態について説明する。以下においては、第１の実施形態に対する相違点について主として説明する。
【００９３】
具体的には、第１の実施形態では、通信部１２は、操作インタフェースに対する操作に応じて、機器２０に対するコマンドを送信する。ここで、通信部１２は、機器２０に対してＢｌｕｅｔｏｏｔｈ（登録商標）、ＺｉｇＢｅｅ（登録商標）などの通信プロトコルにより直接的にコマンドを送信する。
【００９４】
これに対して、第２の実施形態では、通信部１２は、操作インタフェースに対する操作に応じて、コマンドとコマンドの送信先として機器２０を指定する情報とを対にして、ネットワーク４０に設けられる管理装置３０（例えば、ＥＭＳ；Ｅｎｅｒｇｙ  Ｍａｎａｇｅｍｅｎｔ  Ｓｙｓｔｅｍ）に送信してもよい。この際、ＥＣＨＯＮＥＴ  Ｌｉｔｅ或いはＳＥＰ２．０（Ｓｍａｒｔ  Ｅｎｅｒｇｙ  Ｐｒｏｆｉｌｅ  ２．０）などの通信プロトコルに準拠したデータ形式にて送信される。また、管理装置３０は、電子端末１０からコマンドを受信すると、コマンドの送信先として指定される機器（機器２０）に対し、電子端末１０から受信したコマンドを転送する。これにより、操作インタフェースに対して行われた操作に対応する処理が機器２０において実行される。
【００９５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９６】
例えば、電子端末１０は、ＥＭＳ（Ｅｎｅｒｇｙ  Ｍａｎａｇｅｍｅｎｔ  Ｓｙｓｔｅｍ）として機能してもよい。
【００９７】
また、電子端末１０は、機器２０が設けられた部屋の立体的なレイアウト図に対して、機器２０の位置情報を対応付けてもよい。立体的なレイアウト図は、例えば、部屋の床及び天井の４隅を撮像素子によって撮像し、部屋の床及び天井の４隅を特定することによって生成可能である。或いは、立体的なレイアウト図は、ユーザによって作成されてもよい。
【００９８】
また、電子端末１０は、対応関係の記憶後において位置情報（或いは、マーカー情報そのものが有する識別情報）が改めて取得された場合に、操作インタフェースに加えて、機器２０の画像を表示してもよい。
【００９９】
また、電子端末１０が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１００】
或いは、電子端末１０が行う各処理を実行するためのプログラムを記憶するメモリ及びメモリに記憶されたプログラムを実行するプロセッサによって構成されるチップが提供されてもよい。
【符号の説明】
【０１０１】
１０…電子端末、１１…読取り部、１２…通信部、１３…記憶部、１４…表示部、１５…制御部、２０…機器、２１…マーカー部材、３０…管理装置、４０…ネットワーク、１００…需要家施設
【図１】
2016092468.tif 000003
【図２】
2016092468.tif 000004
【図３】
2016092468.tif 000005
【図４】
2016092468.tif 000006
【図５】
2016092468.tif 000007
【図６】
2016092468.tif 000008
【図７】
2016092468.tif 000009
【図８】
2016092468.tif 000010